(57)【要約】
【課題】  メモリドライブデータ伝送交換装置の提供。
【解決手段】  機体の内部に制御回路とフラッシュメモリを整合し、並びに機体に少なくとも一つのデータ伝送ポート、二つのメモリカードスロット及び操作ボタンと状態表示アセンブリを設け、制御回路内部のプログラムにより回路の運転を制御し、全体の装置を、外接装置とフラッシュメモリ間のデータ保存／読み取り、外接装置のメモリカードに対するデータ保存／読み取り、メモリカードとメモリカード間のデータの複製、メモリカードとフラッシュメモリ間のデータの複製に使用可能とした。
【選択図】        図５
0003100683.tif 000002
【実用新案登録請求の範囲】
【請求項１】
機体に制御回路、フラッシュメモリ、データ伝送ポート、二つのメモリカードスロット、操作ボタン及び状態表示アセンブリが設けられ、
該制御回路は該機体内に設けられてマイクロプロセッサ、複数の連結インタフェース、バッファメモリ及びデータ伝送コントロールユニットが該制御回路に整合され、
該フラッシュメモリは該機体内に設けられて該制御回路に接続され、
該データ伝送ポートは該機体に設けられて該制御回路のデータ伝送コントロールユニットに接続されてメモリドライブデータ伝送交換装置と外接装置との電気回路の接続に供され、
該メモリカードスロットは制御回路の連結インタフェースと接続されて全体のメモリドライブデータ伝送交換装置とメモリカードの電気回路の接続を構成し、
該操作ボタンと状態表示アセンブリは機体に設けられ、並びに制御回路に接続されて、それぞれ運転モード設定、及び運転状態表示に供され、
制御回路内部のプログラムにより回路の運転が制御されて、外接装置とフラッシュメモリ間のデータの保存／読み取り、外接装置のメモリカードに対するデータの保存／読み取り、メモリカードとメモリカード間のデータの複製、メモリカードとフラッシュメモリ間のデータの複製を実行する、メモリドライブデータ伝送交換装置。
【請求項２】
請求項１記載のメモリドライブデータ伝送交換装置において、制御回路の連結インタフェースが、入出力操作インタフェース及びフラッシュメモリ連結インタフェースを具えたことを特徴とする、メモリドライブデータ伝送交換装置。
【請求項３】
請求項１記載のメモリドライブデータ伝送交換装置において、制御回路内部に振動／位相ラッチ回路が整合されてマイクロプロセッサの実行周波数調整に供されて、これによりパワー消耗節約を達成することを特徴とする、メモリドライブデータ伝送交換装置。
【請求項４】
請求項１記載のメモリドライブデータ伝送交換装置において、データ伝送コントロールユニット、データ伝送ポートがＵＳＢ規格とされたことを特徴とする、メモリドライブデータ伝送交換装置。
【請求項５】
請求項１記載のメモリドライブデータ伝送交換装置において、状態表示アセンブリがＬＥＤとされたことを特徴とする、メモリドライブデータ伝送交換装置。
【請求項６】
請求項１記載のメモリドライブデータ伝送交換装置において、制御回路にメモリカード連結インタフェースが設けられてメモリの拡充に供されることを特徴とする、メモリドライブデータ伝送交換装置。
【請求項７】
請求項１記載のメモリドライブデータ伝送交換装置において、フラッシュメモリがＮＡＮＤフラッシュ規格とされたことを特徴とする、メモリドライブデータ伝送交換装置。
【考案の詳細な説明】
【技術分野】
【０００１】
本考案はメモリドライブのデータ伝送交換装置に係り、特に、パーソナルコンピュータ等の外接装置と接続可能で、メモリドライブ、カードリーダーとして使用され、また、独立してメモリカードデータ保存、メモリカードとメモリカード間のデータ複製機能を実行できるメモリドライブのデータ伝送交換装置に関する。
【背景技術】
【０００２】
現在、パーソナルコンピュータ或いはその他のＰＤＡ、ディジタルカメラ等の３Ｃ製品に使用されるデータ保存方式は、装置本体内に内蔵されたハードディスク或いはメモリ等の保存空間がデータの保存に使用されるほか、メモリカード、メモリドライブ等の外接式保存装置を組み合わせてデータのバックアップを行なうことができ、適当な読み取り装置が組み合わされた使用状態で、データを他の装置で読み取ったり、或いはデータを他の装置の保存空間中に複製することができる。
【０００３】
国際的に著名な３Ｃメーカーは高容量のメモリカードの研究開発に余念が無く、これにより市販されているメモリカードの形式は多種多様であり、同一の３Ｃ製品に使用することはできない。ゆえに市場には複数種類の形式のメモリカードを挿入して使用できるカードリーダーが出現しており、３Ｃ製品をカードリーダーにより、他の形式のメモリカードの電気回路と接続し、これによりデータの保存／読み取りを行なうことができる。
【０００４】
しかし、現在市販されている周知のカードリーダーは、各形式のメモリカードと符合するスロット、回路端子の配置により、並びに内部回路レイアウトにより同じデータ伝送ポートで伝送する目的を達成するだけであり、これによりカードリーダーのデータ伝送ポートが他の装置と未接続の状態で、カードリーダー自身はいかなる機能も発揮できず、実際の使用の要求を満足させることができない。
【考案の開示】
【考案が解決しようとする課題】
【０００５】
本考案は一種のメモリドライブデータ伝送交換装置を提供することを課題とし、それは、機体の内部に制御回路とフラッシュメモリを整合し、並びに機体に少なくとも一つのデータ伝送ポート、二つのメモリカードスロット及び操作ボタンと状態表示アセンブリを設け、制御回路内部のプログラムにより回路の運転を制御し、全体の装置を、外接装置とフラッシュメモリ間のデータ保存／読み取り、外接装置のメモリカードに対するデータ保存／読み取り、メモリカードとメモリカード間のデータの複製、メモリカードとフラッシュメモリ間のデータの複製に使用可能とした装置とする。
【課題を解決するための手段】
【０００６】
請求項１の考案は、機体に制御回路、フラッシュメモリ、データ伝送ポート、二つのメモリカードスロット、操作ボタン及び状態表示アセンブリが設けられ、
該制御回路は該機体内に設けられてマイクロプロセッサ、複数の連結インタフェース、バッファメモリ及びデータ伝送コントロールユニットが該制御回路に整合され、
該フラッシュメモリは該機体内に設けられて該制御回路に接続され、
該データ伝送ポートは該機体に設けられて該制御回路のデータ伝送コントロールユニットに接続されてメモリドライブデータ伝送交換装置と外接装置との電気回路の接続に供され、
該メモリカードスロットは制御回路の連結インタフェースと接続されて全体のメモリドライブデータ伝送交換装置とメモリカードの電気回路の接続を構成し、
該操作ボタンと状態表示アセンブリは機体に設けられ、並びに制御回路に接続されて、それぞれ運転モード設定、及び運転状態表示に供され、
制御回路内部のプログラムにより回路の運転が制御されて、外接装置とフラッシュメモリ間のデータの保存／読み取り、外接装置のメモリカードに対するデータの保存／読み取り、メモリカードとメモリカード間のデータの複製、メモリカードとフラッシュメモリ間のデータの複製を実行する、メモリドライブデータ伝送交換装置としている。
請求項２の考案は、請求項１記載のメモリドライブデータ伝送交換装置において、制御回路の連結インタフェースが、入出力操作インタフェース及びフラッシュメモリ連結インタフェースを具えたことを特徴とする、メモリドライブデータ伝送交換装置としている。
請求項３の考案は、請求項１記載のメモリドライブデータ伝送交換装置において、制御回路内部に振動／位相ラッチ回路が整合されてマイクロプロセッサの実行周波数調整に供されて、これによりパワー消耗節約を達成することを特徴とする、メモリドライブデータ伝送交換装置としている。
請求項４の考案は、請求項１記載のメモリドライブデータ伝送交換装置において、データ伝送コントロールユニット、データ伝送ポートがＵＳＢ規格とされたことを特徴とする、メモリドライブデータ伝送交換装置としている。
請求項５の考案は、請求項１記載のメモリドライブデータ伝送交換装置において、状態表示アセンブリがＬＥＤとされたことを特徴とする、メモリドライブデータ伝送交換装置としている。
請求項６の考案は、請求項１記載のメモリドライブデータ伝送交換装置において、制御回路にメモリカード連結インタフェースが設けられてメモリの拡充に供されることを特徴とする、メモリドライブデータ伝送交換装置としている。
請求項７の考案は、請求項１記載のメモリドライブデータ伝送交換装置において、フラッシュメモリがＮＡＮＤフラッシュ規格とされたことを特徴とする、メモリドライブデータ伝送交換装置としている。
【考案の効果】
【０００７】
本考案のメモリドライブデータ伝送交換装置がデータ伝送ポートを利用してパーソナルコンピュータ等の外接装置と接続使用される時、制御回路内部のプログラムにより回路の運転を制御し、外接装置とフラッシュメモリ間のデータの保存／読み取り、外接装置のメモリカードに対するデータの保存／読み取りを実行することができる。
【０００８】
本考案のメモリドライブデータ伝送交換装置が他の外接装置と接続使用されない時、独立してメモリカードとメモリカード間のデータの複製、バックアップ、及びメモリカードとフラッシュメモリ間のデータの複製、バックアップの実行を行なうことができる。
【考案を実施するための最良の形態】
【０００９】
本考案のメモリドライブデータ伝送交換装置の基本構造は図１及び図２に示され、それは、機体１０が全体のメモリドライブデータ伝送交換装置の主要な機械構造体とされ、機体１０の内部に制御回路２０が設けられ、並びに機体１０に少なくとも一つのデータ伝送ポート１１、及び二つのメモリカードスロット１２が設けられ、該データ伝送ポート１１とメモリカードスロット１２は機体１０内部の制御回路２０と接続され、データ伝送ポート１１によりその他の、例えばコンピュータ、ＰＤＡ等の外接装置６０と接続されて、メモリドライブデータ伝送交換装置と外接装置６０の電気回路の連結を構成し、及びメモリドライブデータ伝送交換装置とメモリカード７０の電気回路の連結を構成する。
【００１０】
該制御回路２０は機体１０の内部に設けられ、マイクロプロセッサ２１、内蔵メモリ２２１、入出力操作インタフェース２３、メモリカード連結インタフェース２４、バッファメモリ２２２、フラッシュメモリ連結インタフェース２５、データ伝送コントロールユニット２６、及びプログラム制御回路２７を整合させたシングルチップ構造とされる。そのうち、該メモリカード連結インタフェース２４は機体１０のメモリカードスロット１２と接続され、メモリカードスロット１２の形式は、コンパクトフラッシュ（登録商標）、メモリースティック、セキュアディジタル、マルチメディアカード、スマートメディア（登録商標）、ＸＤ等のメモリカードの形式と符合する。該データ伝送コントロールユニット２６は機体１０のデータ伝送ポート１１と接続され、且つデータ伝送コントロールユニット２６、データ伝送ポート１１はＵＳＢ形式とされる。
【００１１】
制御回路２０に別にフラッシュメモリ３０が接続され、該フラッシュメモリ３０はＮＡＮＤ  フラッシュ形式とされ、機体１０の内部に設けられて制御回路２０のフラッシュメモリ連結インタフェース２５と接続され、データ保存空間を提供する。
【００１２】
このほか、機体１０に操作ボタン４０とＬＥＤで構成された状態表示アセンブリ５０が設けられ、操作ボタン４０と状態表示アセンブリ５０は制御回路２０の入出力操作インタフェース２３に接続されて、それぞれメモリドライブデータ伝送交換装置の運転モードの設定と、メモリドライブデータ伝送交換装置の運転状態表示に供される。
【００１３】
これにより、制御回路内部のプログラムを利用して回路の運転を制御し、外接装置とフラッシュメモリ間のデータの保存／読み取り、外接装置のメモリカードに対するデータの保存／読み取りを実行することができる。
【００１４】
本考案のメモリドライブデータ伝送交換装置が他の外接装置と接続使用されない時、独立してメモリカードとメモリカード間のデータの複製、バックアップ、及びメモリカードとフラッシュメモリ間のデータの複製、バックアップの実行を行なうことができる。
【００１５】
全体のメモリドライブデータ伝送交換装置の使用方式及び運転モードは図３、４及び図５に示されるようである。図３及び図５に示されるように、本考案のメモリドライブデータ伝送交換装置は機体１０のデータ伝送ポート１１を利用してケーブル８０を介して外接装置６０（パーソナルコンピュータ）と接続可能で（又はデータ伝送ポートにより直接外接装置と接続される）、制御回路２０内部のプログラムにより回路の運転を制御し、外接装置６０とフラッシュメモリ３０間のデータの保存／読み取りを実行し、メモリドライブとして使用されるか、メモリカード７０が機体１０のメモリカードスロット１２に挿入されて外接装置６０とメモリカード７０間のデータの保存／読み取りを実行し、カードリーダーとして使用される。
【００１６】
また、本考案のメモリドライブデータ伝送交換装置が外接装置６０と接続されない時、図４及び図５に示されるように、単一メモリカード７０が機体１０のメモリカードスロット１２に挿入されて、メモリカード７０とフラッシュメモリ３０間のデータの複製に供されるか、或いは二つのメモリカード７０が機体１０のメモリカードスロット１２に挿入されて、メモリカード７０とメモリカード７０間のデータの複製に供され、その他の装置の駆動によらずに、直接メモリカードのデータの保存、複製を行なうことができる。
【００１７】
さらに、図６に示されるように、本考案中、制御回路２０の内部には振動／位相ラッチ回路２８を整合可能で、マイクロプロセッサ２１の実行周波数の調整に供され、これによりパワー消耗節約の目的を達成し、また、メモリカード連結インタフェース２４を整合可能で、これによりメモリカードの拡充が可能で、メモリドライブデータ伝送交換装置の運転機能を向上できる。
【００１８】
以上述べたように、本考案のメモリドライブデータ伝送交換装置は、パーソナルコンピュータ等の外接装置と接続されて、メモリドライブ、カードリーダーとして使用されるほか、独立してメモリカードのデータ保存、メモリカードとメモリカード間のデータの複製を行なうメモリドライブデータ伝送交換装置とされ得る。ゆえに本考案は実用性、新規性、進歩性及び産業上の利用価値を有する。なお、以上の実施例は本考案の実施範囲を限定するものではなく、本考案に基づきなしうる細部の修飾或いは改変は、いずれも本考案の請求範囲に属するものとする。
【図面の簡単な説明】
【００１９】
【図１】本考案のメモリドライブデータ伝送交換装置の外観構造図である。
【図２】本考案のメモリドライブデータ伝送交換装置の基本構造図である。
【図３】本考案のメモリドライブデータ伝送交換装置とパーソナルコンピュータの接続使用の状態表示図である。
【図４】本考案のメモリドライブデータ伝送交換装置の独立運転状態表示図である。
【図５】本考案のメモリドライブデータ伝送交換装置の運転モード表示図である。
【図６】本考案の別の実施例のメモリドライブデータ伝送交換装置の構造表示図である。
【符号の説明】
【００２０】
１０  機体                        ２６  データ伝送コントロールユニット
１１  データ伝送ポート            ２７  プログラム制御回路
１２  メモリカードスロット        ２８  振動／位相ラッチ回路
２０  制御回路                    ２９  メモリカード連結インタフェース
２１  マイクロプロセッサ          ３０  フラッシュメモリ
２２１  内蔵メモリ                ４０  操作ボタン
２２２  バッファメモリ            ５０  状態表示アセンブリ
２３  入出力操作インタフェース    ６０  外接装置
２４  メモリカード連結インタフェース      ７０  メモリカード
２５  フラッシュメモリ連結インタフェース  ８０  ケーブル
【図１】
0003100683.tif 000003
【図２】
0003100683.tif 000004
【図３】
0003100683.tif 000005
【図４】
0003100683.tif 000006
【図５】
0003100683.tif 000007
【図６】
0003100683.tif 000008